(57)【要約】  植物栽培用の培地に供給される養液であって、収量が高めることができ、かつ、植物の糖度を高めることができる養液を提供する。養液は、植物栽培用の培地に適用されるものである。養液は、水と、硝酸態窒素およびアンモニア態窒素の少なくとも一つと、リン酸と、酸化カリウムと、酸化カルシウムとを含む。硝酸態窒素およびアンモニア態窒素の総和を１００重量部としたときに、リン酸の含有量は、４８〜７０重量部であり、酸化カリウムの含有量は、１６０〜１８０重量部であり、酸化カルシウムの含有量は、３０〜８５重量部である。【選択図】  なし【特許請求の範囲】
【請求項１】
植物栽培用の培地に適用される養液であって、
水と、
硝酸態窒素およびアンモニア態窒素の少なくとも一つと、
リン酸と、
酸化カリウムと、
酸化カルシウムとを含み、
硝酸態窒素およびアンモニア態窒素の総和を１００重量部としたときに、
リン酸の含有量は、４８〜７０重量部であり、
酸化カリウムの含有量は、１６０〜１８０重量部であり、
酸化カルシウムの含有量は、３０〜８５重量部である、養液。
【請求項２】
請求項１において、
前記リン酸の含有量に対する前記酸化カルシウムの含有量の比（酸化カルシウムの含有量／リン酸の含有量）は、１．２〜１．６である養液。
【請求項３】
請求項１において、
前記養液における前記硝酸態窒素およびアンモニア態窒素の総和の濃度が８０〜５５０ｍｇ／Ｌである養液。
【請求項４】
請求項１または２において、
前記アンモニア態窒素の含有量に対する前記硝酸態窒素の比（硝酸態窒素の含有量／アンモニア態窒素の含有量）は、５〜１０である養液。
【請求項５】
請求項１〜３のいずれかにおいて、
前記酸化カルシウムの含有量に対する前記酸化カリウムの含有量の比（酸化カリウムの含有量／酸化カルシウムの含有量）は、２．０〜２．６である養液。
【請求項６】
請求項１〜３のいずれかにおいて、
硫黄酸化物が含まれていない養液。
【請求項７】
請求項１〜３のいずれかにおいて、
前記培地は、無機質培地である養液。
【請求項８】
請求項６において、
前記培地は、アルカリ性培地である養液。
【請求項９】
請求項７において、
前記培地は、サンゴ砂礫を含む養液。
【請求項１０】
請求項１〜３、８、９のいずかにおいて、
前記養液は、ＭｇＯ、ＭｎＯ、Ｂ２Ｏ３、Ｆｅ、Ｃｕ、ＺｎおよびＭｏからなる群から選ばれた少なくとも１種を含む養液。
【発明の詳細な説明】
【技術分野】
【０００１】
本発明は、植物栽培用の培地に供給される養液に関する。
【背景技術】
【０００２】
培地に栽培植物を植え付け、培養液を給液して栽培する技術が提案されている。（特許文献１参照）。
【先行技術文献】
【特許文献】
【０００３】
【特許文献１】特開２００１−１０３８５７号公報
【発明の概要】
【発明が解決しようとする課題】
【０００４】
本発明の目的は、植物栽培用の培地に供給される養液であって、収量が高めることができ、かつ、植物の糖度を高めることができる養液を提供することにある。
【課題を解決するための手段】
【０００５】
本願発明者は、養液が、硝酸態窒素およびアンモニア態窒素の総和重量との関係で、リン酸、酸化カリウム、酸化カルシウムを所定量含有することで、この養液により栽培される植物の収量の向上と植物の糖度が向上することを見出し、本発明に至った。【０００６】
本発明の養液は、
植物栽培用の培地に適用される養液であって、
水と、
硝酸態窒素およびアンモニア態窒素の少なくとも一つと、
リン酸と、
酸化カリウムと、
酸化カルシウムとを含み、
硝酸態窒素およびアンモニア態窒素の総和を１００重量部としたときに、
リン酸の含有量は、４８〜７０重量部であり、
酸化カリウムの含有量は、１６０〜１８０重量部であり、
酸化カルシウムの含有量は、３０〜８５重量部である。【０００７】
本発明において、前記リン酸の含有量に対する前記酸化カルシウムの含有量の比（酸化カルシウムの含有量／リン酸の含有量）は、１．２〜１．６であることができる。【０００８】
本発明において、前記養液における前記硝酸態窒素およびアンモニア態窒素の総和の濃度が８０〜５５０ｍｇ／Ｌであることができる。【０００９】
本発明において、前記アンモニア態窒素の含有量に対する前記硝酸態窒素の比（硝酸態窒素の含有量／アンモニア態窒素の含有量）は、５〜１０であることができる。【００１０】
本発明において、前記酸化カルシウムの含有量に対する前記酸化カリウムの含有量の比（酸化カリウムの含有量／酸化カルシウムの含有量）は、２．０〜２．６であることができる。【００１１】
本発明において、硫黄酸化物（硫酸イオンを含む）が含まれていないことが好ましい。【００１２】
本発明において、前記培地は、無機質培地であることができる。【００１３】
本発明において、前記培地は、アルカリ性培地であることができる。【００１４】
本発明において、前記培地は、サンゴ砂礫を含むことができる。【００１５】
本発明において、前記養液は、ＭｇＯ、ＭｎＯ、Ｂ２Ｏ３、Ｆｅ、Ｃｕ、ＺｎおよびＭｏからなる群から選ばれた少なくとも１種を含むことができる。【００１６】
本明細書において、「Ａ〜Ｂ」としたときに、「Ａ以上、Ｂ以下の範囲内」であることを示す。
【発明の効果】
【００１７】
本発明の養液を培地での植物栽培に適用することで、収量が高めることができ、かつ、植物の糖度を高めることができる。
【発明を実施するための形態】
【００１８】
以下、本発明の好適な実施の形態について詳細に説明する。
【００１９】
１．養液
実施の形態に係る養液は、植物栽培用の培地に適用されるものである。培地は、たとえば無機質培地とすることができ、かつ、固形培地または非固形培地（たとえば液状）であることができる。培地はアルカリ性培地であることが好適である。培地は、多孔質素材であることにより、灌水の間隔を長くすることができる。
【００２０】
無機質培地には、サンゴ砂礫や貝殻（たとえば牡蠣殻、ホタテ貝殻）を含むことができ、サンゴ砂礫からなる培地が好適である。サンゴ砂礫からなる培地にすることにより、抗菌作用による根系の病害減少、その抗菌作用により培養液の殺菌設備が不要か又は簡素化が可能であり、さらには、入れ替えや廃棄を極力抑えることができる。サンゴ砂礫の粒径は、たとえば、１〜２０ｍｍ、好ましくは１〜１０ｍｍ、より好ましくは５ｍｍ前後とすることができる。
【００２１】
養液は、水と、硝酸態窒素およびアンモニア態窒素の少なくとも一つと、リン酸と、酸化カリウムと、酸化カルシウムとを含む。硝酸態窒素の具体例としては、たとえば、硝酸イオンを挙げることができる。アンモニア態窒素の具体例としては、たとえば、アンモニウムイオンを挙げることができる。
【００２２】
リン酸の含有量は、硝酸態窒素およびアンモニア態窒素の総和を１００重量部としたときに、４８〜７０重量部である。
【００２３】
酸化カリウムの含有量は、硝酸態窒素およびアンモニア態窒素の総和を１００重量部としたときに、１６０〜１８０重量部である。
【００２４】
酸化カルシウムの含有量は、硝酸態窒素およびアンモニア態窒素の総和を１００重量部としたときに、３０〜８５重量部、好ましくは５０〜８５重量部、さらに好ましくは６０〜８５重量部である。
【００２５】
リン酸の含有量に対する酸化カルシウムの含有量の比（酸化カルシウムの含有量／リン酸の含有量）は、１．２〜１．６であることが好ましい。
【００２６】
養液における硝酸態窒素およびアンモニア態窒素の総和の濃度は、たとえば８０〜５５０ｍｇ／Ｌ、好ましくは２００〜４４０ｍｇ／Ｌ、さらに好ましくは２５０〜３８０ｍｌ／Ｌである。
【００２７】
アンモニア態窒素の含有量に対する硝酸態窒素の比（硝酸態窒素の含有量／アンモニア態窒素の含有量）は、５〜１０であることが好ましく、さらに好ましくは７〜１０である。アンモニア態窒素の含有量に対する硝酸態窒素の比がこの範囲にあると、特に培地がアルカリ培地の場合、植物が他の養液の微量成分をより適度に吸収することができる。
【００２８】
酸化カルシウムの含有量に対する酸化カリウムの含有量の比（酸化カリウムの含有量／酸化カルシウムの含有量）は、２．０〜２．６であることが好ましい。
【００２９】
養液は、硫黄酸化物、特に硫酸イオンが含まれていないことが好ましい。養液は、ＭｇＯ、ＭｎＯ、Ｂ２Ｏ３、Ｆｅ、Ｃｕ、ＺｎおよびＭｏからなる群から選ばれた少なくとも１種を含むことができる。
【００３０】
２．作用効果
実施の形態に係る養液は、硝酸態窒素およびアンモニア態窒素の総和重量との関係で、リン酸、酸化カリウム、酸化カルシウムを所定重量を含有する。これにより、この養液により栽培される植物の収量の向上と植物の糖度が向上する。
【００３１】
適用し得る植物の例としては、トマトやナス、苺、二十日大根、小松菜、ほうれん草、ブロッコリーなどの野菜の他、果物でも適用可能である。
【実施例１】
【００３２】
サンゴ砂礫で構成された培地にトマトを植え、表１の養液（実施例の養液）により栽培を行った。ＬＥＤ人工照明にて栽培を行った。
【表１】
2019013346.tif 000002
【００３３】
実施例の養液で植物を栽培したもののみが、各果房において、平均値にて糖度７．５（Ｂｒｉｘ％糖度）以上のトマトを収獲することができ、収量も格段に増えたことが確認された。各果房の糖度、収穫数、収量の平均値を表２に示す。
【表２】
2019013346.tif 000003
［栽培比較試験］
実施例に係る養液と、比較例に係る養液とを用いて栽培比較試験を行った。比較例に係る養液の組成を表３に示す。
【表３】
2019013346.tif 000004
【００３４】
この栽培比較試験は、第３花房の収穫が終わるまでの栽培試験とした。EC濃度変化は、実施例の養液を用いた栽培区、および、比較例の養液を用いた栽培区ともに、表４のように変化させた。
【表４】
2019013346.tif 000005
【００３５】
試験株数としては、実施例の養液を用いた栽培区および比較例の養液を用いた栽培区ともに、１０株とした。また、試験作物については、実施例の養液を用いた栽培区および比較例の養液を用いた栽培区ともに、ミニトマトとした。【００３６】
栽培比較試験により、次の結果が確認された。実施例の養液を用いた栽培区では，試験栽培終了まで生理障害の発生は認められず安定して栽培収穫が出来た。【００３７】
一方、比較例の養液を用いた栽培区では、１０株全てにおいて，鉄欠乏，マンガン欠乏の発生が確認された。また鉄欠乏の進行症状による、新葉の白化により生長が止まったものが３株あった。また、比較例の養液を用いた栽培区の収穫量も、実施例の養液を用いた栽培区の収穫量の１／３に落ち込んだ。【００３８】
本実施の形態は、本発明の範囲内において種々の変形が可能である。
【産業上の利用可能性】
【００３９】
本発明は、培地での植物栽培に広く適用可能である。
【国際調査報告】
2019013346.tif 000006
2019013346.tif 000007
2019013346.tif 000008
2019013346.tif 000009